(57)【要約】本発明の実施形態は、急速充電制御方法、急速充電制御システム及び端末装置を提供する。前記方法は、充電過程で端末装置の複数の部位の現在の温度を検出するステップと、複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定するステップと、確定された前記充電電流の最小充電電流に基づいて、前記端末装置が充電電流を調整するように制御して、前記端末装置の充電電流が前記最小充電電流以下になることにするステップと、を備える。本発明の実施形態は、充電電流が大き過ぎてまねく過熱を防止し、急速充電過程における過熱による安全上の危険性を排除する。【選択図】図１
2019535226.tif 000002
【特許請求の範囲】
【請求項１】
充電過程で端末装置の複数の部位の現在の温度を検出するステップと、
複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定するステップと、
確定された前記充電電流の最小充電電流に基づいて、前記端末装置が充電電流を調整するように制御して、前記端末装置の充電電流が前記最小充電電流以下になることにするステップと、
を備えることを特徴とする急速充電制御方法。
【請求項２】
前記急速充電制御方法は、充電過程で前記端末装置の複数の部位の現在の温度を検出してから、
複数の前記部位における少なくとも１つの部位の現在の温度が対応する予定温度範囲の最大閾値を超過するかどうかを検出するステップと、
複数の前記部位における少なくとも１つの部位の現在の温度が対応する予定温度範囲の最大閾値を超過する場合、第一予定充電ストラテジを取るステップと、
複数の前記部位におけるいかなる１つの部位の現在の温度は全て対応する予定温度範囲の最大閾値を超過しない場合、複数の前記部位における少なくとも２つの部位の現在の温度が別々に各自の対応する予定温度範囲内にあるかどうかを検出するステップと、
複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定し、確定された前記充電電流の最小充電電流に基づいて、前記端末装置が充電電流を調整するように制御して、前記端末装置の充電電流が前記最小充電電流以下になることにするステップと、
をさらに備えることを特徴とする請求項１に記載の急速充電制御方法。
【請求項３】
前記急速充電制御方法は、充電過程で前記端末装置の複数の部位の現在の温度を検出してから、
複数の前記部位に現在の温度が対応する予定温度範囲にある部位が存在するか否かを検出するステップと、
複数の前記部位における現在の温度が対応する予定温度範囲にある部位の数量は１である場合、前記部位に対応する温度と充電電流の対応関係に基づいて、前記部位の現在の温度に対応する充電電流を確定し、且つ前記部位の現在の温度に対応する充電電流に基づいて、前記端末装置が充電電流を調整するように制御して、前記端末装置の充電電流が前記部位の現在の温度に対応する充電電流以下になることにするステップと、
複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定し、確定された前記充電電流の最小充電電流に基づいて、前記端末装置が充電電流を調整するように制御して、前記端末装置の充電電流が前記最小充電電流以下になることにするステップと、
複数の前記部位におけるいかなる１つの部位の現在の温度は全て対応する予定温度範囲の最小閾値よりも小さい場合、第二予定充電ストラテジを取るステップと、
をさらに備えることを特徴とする請求項１に記載の急速充電制御方法。
【請求項４】
複数の前記部位における各々の部位に対応する温度と充電電流の対応関係において、温度が上がることにつれて充電電流は減少することを特徴とする請求項１〜３のいずれか一項に記載の急速充電制御方法。
【請求項５】
前記端末装置の複数の部位の現在の温度を検出することは、少なくとも前記端末装置のバッテリ、中央処理装置及びディスプレイスクリーンの温度を検出することを備える、ことを特徴とする請求項１〜３のいずれか一項に記載の急速充電制御方法。
【請求項６】
充電過程で端末装置の複数の部位の現在の温度を検出するために用いられる温度検出モジュールと、
複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定するために用いられる充電電流確定モジュールと、
確定された前記充電電流の最小充電電流に基づいて、前記端末装置が充電電流を調整するように制御して、前記端末装置の充電電流が前記最小充電電流以下になることにするために用いられる充電制御モジュールと、
を備えることを特徴とする急速充電制御システム。
【請求項７】
前記充電制御モジュールは、さらに複数の前記部位における少なくとも１つの部位の現在の温度が対応する予定温度範囲の最大閾値を超過する場合、第一予定充電ストラテジを取るために用いられることを特徴とする請求項６に記載の急速充電制御システム。
【請求項８】
前記充電制御モジュールは、さらに複数の前記部位における現在の温度が対応する予定温度範囲にある部位の数量は１である場合、前記部位の現在の温度に対応する充電電流に基づいて、前記端末装置が充電電流を調整するように制御して、前記端末装置の充電電流が前記部位の現在の温度に対応する充電電流以下になることにするとともに、複数の前記部位におけるいかなる１つの部位の現在の温度は全て対応する予定温度範囲の最小閾値よりも小さい場合、第二予定充電ストラテジを取るために用いられることを特徴とする請求項６に記載の急速充電制御システム。
【請求項９】
複数の前記部位における各々の部位に対応する温度と充電電流の対応関係において、温度が上がることにつれて充電電流は減少することを特徴とする請求項６〜８のいずれか一項に記載の急速充電制御システム。
【請求項１０】
前記温度検出モジュールが充電過程で前記端末装置の複数の部位の現在の温度を検出することは、具体的に前記温度検出モジュールが少なくとも前記端末装置のバッテリ、中央処理装置及びディスプレイスクリーンの温度を検出することである、ことを特徴とする請求項６〜８のいずれか一項に記載の急速充電制御システム。
【請求項１１】
メモリ及びプロセッサを備える端末装置であて、
前記メモリは、プログラムコードを格納するために用いられ、
前記プロセッサは、前記プログラムコードを呼び出すことにより、以下の、
充電過程で端末装置の複数の部位の現在の温度を検出するステップと、
複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定するステップと、
確定された前記充電電流中の最小充電電流に基づいて、前記端末装置が充電電流を調整するように制御して、前記端末装置の充電電流が前記最小充電電流以下になることにするステップと、
を実行するために用いられることを特徴とする端末装置。
【請求項１２】
前記充電過程で前記端末装置の複数の部位の現在の温度を検出してから、さらに前記プログラムコードを呼び出すことにより、以下の、
複数の前記部位における少なくとも１つの部位の現在の温度が対応する予定温度範囲の最大閾値を超過するかどうかを検出するステップと、
複数の前記部位における少なくとも１つの部位の現在の温度が対応する予定温度範囲の最大閾値を超過する場合、第一予定充電ストラテジを取るステップと、
複数の前記部位におけるいかなる１つの部位の現在の温度は全て対応する予定温度範囲の最大閾値を超過しない場合、複数の前記部位における少なくとも２つの部位の現在の温度が別々に各自の対応する予定温度範囲内にあるかどうかを検出するステップと、
複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定し、確定された前記充電電流中の最小充電電流に基づいて、前記端末装置が充電電流を調整するように制御して、前記端末装置の充電電流が前記最小充電電流以下になることにするステップと、
を実行することを特徴とする請求項１１に記載の端末装置。
【請求項１３】
前記充電過程で前記端末装置の複数の部位の現在の温度を検出してから、さらに前記プログラムコードを呼び出すことにより、以下の、
複数の前記部位に現在の温度が対応する予定温度範囲にある部位が存在するか否かを検出するステップと、
複数の前記部位における現在の温度が対応する予定温度範囲にある部位の数量は１である場合、前記部位に対応する温度と充電電流の対応関係に基づいて、前記部位の現在の温度に対応する充電電流を確定し、且つ前記部位の現在の温度に対応する充電電流に基づいて、前記端末装置が充電電流を調整するように制御して、前記端末装置の充電電流が前記部位の現在の温度に対応する充電電流以下になることにするステップと、
複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定し、確定された前記充電電流の最小充電電流に基づいて、前記端末装置が充電電流を調整するように制御して、前記端末装置の充電電流が前記最小充電電流以下になることにするステップと、
複数の前記部位におけるいかなる１つの部位の現在の温度は全て対応する予定温度範囲の最小閾値よりも小さい場合、第二予定充電ストラテジを取るステップと、
を実行することを特徴とする請求項１１に記載の端末装置。
【請求項１４】
複数の前記部位における各々の部位に対応する温度と充電電流の対応関係において、温度が上がることにつれて充電電流は減少することを特徴とする請求項１１乃至１３のいずれか一項に記載の端末装置。
【請求項１５】
前記端末装置の複数の部位の現在の温度を検出することは、少なくとも前記端末装置のバッテリ、中央処理装置及びディスプレイスクリーンの温度を検出することを備える、ことを特徴とする請求項１１乃至１３のいずれか一項に記載の端末装置。
【発明の詳細な説明】
【技術分野】
【０００１】
本発明は、通信技術分野に関し、特に、急速充電制御方法、急速充電制御システム及び端末装置に関する。
【背景技術】
【０００２】
近年、急速充電技術が絶えずに発展している。急速充電とは、実は定電流充電段階中にバッテリの充電電流を高めることによりバッテリ充電時間を短縮することである。現在、端末装置の定電流充電電流は、以前の５００ｍＡ以下から２０００ｍＡ以上に増加しつつある。
【０００３】
充電電流の増加に伴い、確実に充電速度を高めることができるが、充電発熱による安全上の危険も伴う。また、充電電流が大きければ大きいほど、充電による発熱問題が深刻化する。既存の急速充電制御システムは、ただバッテリの温度に基づいて充電電流の調整を制御する。実は、急速充電過程において、端末装置の他の発熱部分（例えば、メインボードの中央処理装置である）の発熱も端末装置全体の熱平衡に影響する。故に、急速充電過程において、ただバッテリ自身の温度に基づいて充電電流の調整を制御すると、過熱による安全問題が発生する可能性がある。
【発明の概要】
【発明が解決しようとする課題】
【０００４】
これに鑑みて、急速充電過程における過熱による安全上の危険性を排除するために、本発明の実施形態は急速充電制御方法、急速充電制御システム及び端末装置を提供する。
【課題を解決するための手段】
【０００５】
本発明に係わる急速充電制御方法は、充電過程で端末装置の複数の部位の現在の温度を検出するステップと、複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定するステップと、確定された前記充電電流の最小充電電流に基づいて、前記端末装置が充電電流を調整するように制御して、前記端末装置の充電電流が前記最小充電電流以下になることにするステップと、を備える。
【０００６】
本発明に係わる急速充電システムは、充電過程で端末装置の複数の部位の現在の温度を検出するために用いられる温度検出モジュールと、複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定するために用いられる充電電流確定モジュールと、確定された前記充電電流の最小充電電流に基づいて、前記端末装置が充電電流を調整するように制御して、前記端末装置の充電電流が前記最小充電電流以下になることにするために用いられる充電制御モジュールと、を備える。
【０００７】
本発明に係わる端末装置は、メモリ及びプロセッサを備え、前記メモリは、プログラムコードを格納するために用いられ、前記プロセッサは、前記プログラムコードを呼び出すことにより、以下の、充電過程で端末装置の複数の部位の現在の温度を検出するステップと、複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定するステップと、確定された前記充電電流の最小充電電流に基づいて、前記端末装置が充電電流を調整するように制御して、前記端末装置の充電電流が前記最小充電電流以下になることにするステップと、を実行するために用いられる。
【発明の効果】
【０００８】
本発明の実施例において、少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定し、且つ確定された充電電流の最小充電電流に基づいて、前記端末装置が充電電流を調整するように制御して、前記端末装置の充電電流が前記最小充電電流以下になることにして、充電電流が大き過ぎてまねく過熱を防止し、急速充電過程における過熱による安全上の危険性を排除する。
【図面の簡単な説明】
【０００９】
本発明の実施形態に係る技術的方案をより明確に説明するために、以下、実施形態に使用される図面について簡単に説明する。明らかに、以下の説明における図面は本発明の一部の実施形態に過ぎず、当業者であれば、創造的な努力なしにこれらの図面に基づいて他の図面を得ることができる。
【図１】図１は、本発明の実施形態に係わる急速充電制御方法のフローチャートである。
【図２】図２は、本発明の実施形態におけるバッテリに対応する温度と充電電流との間の関係、中央処理装置に対応する温度と充電電流との間の関係を示す図である。
【図３】図３は、本発明の他の実施形態に係わる急速充電制御方法のフローチャートである。
【図４】図４は、本発明の別の実施形態に係わる急速充電制御方法のフローチャートである。
【図５】図５は本発明の実施形態に係わる急速充電制御システムの構造を示す図である。
【図６】図６は、本発明の実施形態に係わる端末装置の構造を示す図である。
【発明を実施するための形態】
【００１０】
以下に、本発明の実施形態の添付の図面を参照しながら、本発明の実施形態の技術的手段を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に入るものとする。
【００１１】
図１を参照すると、本発明の実施形態に係わる急速充電制御方法は端末装置に応用される。端末装置は、スマートフォン、タブレット、ＰＤＡなどであることができる。前記方法は、以下のステップを備える。
【００１２】
ステップ１０１：充電過程で端末装置の複数の部位の現在の温度を検出する。
【００１３】
具体的には、ハードウェア又はソフトウェアによって、端末装置のバッテリ、中央処理装置、スクリーンなどの複数の発熱部品の現在の温度を検出することができる。例えば、温度出力ポートを有するチップに対して、ソフトウェアによって温度を獲得することができる。温度出力ポートを有しない部分に対して、温度センサーを設置することによって温度を獲得することができる。
【００１４】
ステップ１０２：複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定する。
【００１５】
具体的には、複数の前記部位における各々の部位に対応する温度と充電電流の対応関係において、温度が上がることにつれて充電電流は減少する（図２に示されたようにである）。換言すると、温度が高ければ高いほど、許容される充電電流は小さく、即ち端末装置の過熱を防止するために、温度が高い場合、より小さい充電電流で充電することを必要とする。
【００１６】
ステップ１０３：確定された前記充電電流の最小充電電流に基づいて、前記端末装置が充電電流を調整するように制御して、前記端末装置の充電電流が前記最小充電電流以下になることにする。
【００１７】
具体的に、図２に示されたように、図２は本発明の実施形態におけるバッテリに対応する温度と充電電流との間の関係、中央処理装置に対応する温度と充電電流との間の関係を示す図である。前記バッテリの現在の温度が点線（１）の位置に位置すると検出された場合は、Ｔ１１であり、前記中央処理装置の現在の温度が点線（１）の位置に位置すると検出された場合は、Ｔ１２である。前記バッテリにとって、現在の温度がＴ１１である場合、許容される充電電流は大きい。前記中央処理装置にとって、現在の温度がＴ１２である場合、許容される充電電流は、前記バッテリの現在の温度がＴ１１である時に許容される充電電流より小さい。このとき、前記端末装置の現在の充電電流がＴ１２に対応する充電電流よりも大きいと、前記端末装置の充電電流を減少させることを必要として、前記端末装置の充電電流がＴ１２に対応する充電電流以下になることにする。
【００１８】
本実施形態において、少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定し、且つ確定された充電電流の最小充電電流に基づいて、前記端末装置が充電電流を調整するように制御して、前記端末装置の充電電流が前記最小充電電流以下になることにして、充電電流が大き過ぎてまねく過熱を防止し、急速充電過程における過熱による安全上の危険性を排除する。
【００１９】
図３を参照すると、図３は本発明の他の実施形態に係わる急速充電制御方法のフローチャートである。前記方法は、以下のステップを備える。
【００２０】
ステップ３０１：充電過程で端末装置の複数の部位の現在の温度を検出する。ステップ３０１とステップ１０１は同じであるので、ここで詳しく説明しない。
【００２１】
ステップ３０２：複数の前記部位における少なくとも１つの部位の現在の温度が対応する予定温度範囲の最大閾値を超過するかどうかを検出する。そうであれば、ステップ３０３を執行し、そうでなければ、ステップ３０４を執行する。
【００２２】
ステップ３０３：第一予定充電ストラテジを取る。
【００２３】
具体的には、前記第一予定充電ストラテジとは、充電を停止するか又は予定された量だけ充電電流を減少することである。例えば、現在の温度が対応する予定温度範囲の最大閾値を超過する部位が多い場合、すぐ充電を停止することができ、従って前記端末装置の過熱による安全上の危険性を排除する。現在の温度が対応する予定温度範囲の最大閾値を超過する部位が多くない場合、例えば、１つ又は２つである場合、予定量だけ充電電流を減少して、端末装置の正常な充電を確保するとともに、端末装置の熱量を下げる。
【００２４】
ステップ３０４：複数の前記部位における少なくとも２つの部位の現在の温度が別々に各自の対応する予定温度範囲内にあるかどうかを検出する。
【００２５】
ステップ３０５：複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定する。
【００２６】
ステップ３０６：確定された前記充電電流の最小充電電流に基づいて、前記端末装置が充電電流を調整するように制御して、前記端末装置の充電電流が前記最小充電電流以下になることにする。ステップ３０５、３０６は別々にステップ１０２、１０３と同じであるので、ここで詳しく説明しない。
【００２７】
本実施形態において、複数の部位の現在の温度が別々に各自の対応する予定温度範囲内にある場合、確定された充電電流の最小充電電流に基づいて、前記端末装置が充電電流を調整するように制御して、充電電流が大き過ぎてまねく安全上の危険性を排除することができる。さらに、前記端末装置のある部位の温度が高過ぎる場合、すぐ充電を停止するか又は予定された量だけ充電電流を減少するストラテジを取って、前記端末装置の過熱による安全上の危険性を排除する。
【００２８】
図４を参照すると、図４は本発明の他の実施形態に係わる急速充電制御方法のフローチャートである。前記方法は、以下のステップを備える。
【００２９】
ステップ４０１：充電過程で端末装置の複数の部位の現在の温度を検出する。ステップ４０１とステップ１０１は同じであるので、ここで詳しく説明しない。
【００３０】
ステップ４０２：複数の前記部位に現在の温度が対応する予定温度範囲にある部位が存在するか否かを検出する。現在の温度が対応する予定温度範囲にある部位の数量は１である場合、ステップ４０３を執行し、少なくとも２つの部位の現在の温度が別々に各自の対応する予定温度範囲にある場合、ステップ４０４を執行し、複数の前記部位におけるいかなる１つの部位の現在の温度は全て対応する予定温度範囲の最小閾値より小さい場合、ステップ４０５を執行する。
【００３１】
ステップ４０３：前記部位に対応する温度と充電電流の対応関係に基づいて、前記部位の現在の温度に対応する充電電流を確定し、且つ前記部位の現在の温度に対応する充電電流に基づいて、前記端末装置が充電電流を調整するように制御して、前記端末装置の充電電流が前記部位の現在の温度に対応する充電電流より小さいことにする。
【００３２】
ステップ４０４：少なくとも２つの前記部位の各々の部位に対応する温度と充電電流の対応関係に基づいて、少なくとも２つの前記部位の各々の部位の現在の温度に対応する充電電流を確定し、且つ確定された充電電流の最小充電電流に基づいて、前記端末装置が充電電流を調整するように制御して、前記端末装置の充電電流が前記最小充電電流以下になることにする。
【００３３】
ステップ４０５：第二予定充電ストラテジを取る。
【００３４】
具体的には、前記第二予定充電ストラテジは、予定量だけ充電電流を増加することである。複数の前記部位におけるいかなる１つの部位の現在の温度は全て対応する予定温度範囲の最小閾値よりも小さい場合、前記端末装置全体の発熱が高くないことを意味し、充電電流を増加して、充電速度を高めることができる。
【００３５】
本実施形態において、複数の部位の現在の温度が別々に各自の対応する予定温度範囲内にある場合、確定された充電電流の最小充電電流に基づいて、前記端末装置が充電電流を調整するように制御し、ただ１つの部位の現在の温度が対応する予定温度範囲内にある場合、前記部位の現在の温度に対応する充電電流に基づいて、前記端末装置が充電電流を調整するように制御するので、充電電流が大き過ぎてまねく安全上の危険性を排除することができる。さらに、複数の前記部位におけるいかなる１つの部位の現在の温度は全て対応する予定温度範囲の最小閾値よりも小さい場合、予定量だけ充電電流を増加することにより、安全上の危険を招くことなく充電速度を高めることができる。
【００３６】
図５を参照すると、図５は本発明の実施形態に係わる急速充電制御システムの構造を示す図である。急速充電制御システム５００は、端末装置に応用される。前記端末装置は、スマートフォン、タブレット、ＰＤＡなどであることができる。前記システム５００は、温度検出モジュール５０１と、充電電流確定モジュール５０２と、充電制御モジュール５０３と、を備える。
【００３７】
前記温度検出モジュール５０１は、充電過程で前記端末装置の複数の部位の現在の温度を検出するために用いられる。
【００３８】
具体的は、ハードウェア又はソフトウェアによって、前記端末装置のバッテリ、中央処理装置、スクリーンなどの複数の発熱部品の現在の温度を検出することができる。例えば、温度出力ポートを有するチップに対して、ソフトウェアによって温度を獲得することができる。温度出力ポートを有しない部分に対して、温度センサーを設置することによって温度を獲得することができる。
【００３９】
前記充電電流確定モジュール５０２は、複数の前記部位における少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定する。
【００４０】
具体的には、複数の前記部位における各々の部位に対応する温度と充電電流の対応関係において、温度が上がることにつれて充電電流は減少する（図２に示されたようである）。換言すると、温度が高ければ高いほど、許容される充電電流は小さく、即ち端末装置の過熱を防止するために、温度が高い場合、より小さい充電電流で充電することを必要とする。
【００４１】
前記充電制御モジュール５０３は、確定された前記充電電流の最小充電電流に基づいて、前記端末装置が充電電流を調整するように制御して、前記端末装置の充電電流が前記最小充電電流以下になることにする。
【００４２】
具体的に、図２に示されたように、図２はバッテリに対応する温度と充電電流との間の関係、中央処理装置に対応する温度と充電電流との間の関係を示す図である。前記バッテリの現在の温度が点線（１）の位置に位置すると検出された場合は、Ｔ１１であり、前記中央処理装置の現在の温度が点線（１）の位置に位置すると検出された場合は、Ｔ１２である。前記バッテリにとって、現在の温度がＴ１１である場合、許容される充電電流は大きい。前記中央処理装置にとって、現在の温度がＴ１２である場合、許容される充電電流は、前記バッテリの現在の温度がＴ１１である時に許容される充電電流より小さい。このとき、前記端末装置の現在の充電電流がＴ１２に対応する充電電流よりも大きいと、前記端末装置の充電電流を減少させることを必要として、前記端末装置の充電電流がＴ１２に対応する充電電流以下になることにする。
【００４３】
本実施形態において、少なくとも２つの部位の現在の温度が別々に各自の対応する予定温度範囲内にある場合、少なくとも２つの前記部位の各々の部位に対応する温度と充電電流の対応関係に基づいて、少なくとも２つの前記部位の各々の部位の現在の温度に対応する充電電流を確定し、且つ確定された充電電流の最小充電電流に基づいて、前記端末装置が充電電流を調整するように制御して、前記端末装置の充電電流が前記最小充電電流以下になることにして、充電電流が大き過ぎてまねく過熱を防止し、急速充電過程における過熱による安全上の危険性を排除する。
【００４４】
選択的に、前記充電制御モジュール５０３は、さらに複数の前記部位における少なくとも１つの部位の現在の温度が対応する予定温度範囲の最大閾値を超過する場合、第一予定充電ストラテジを取るために用いられる。
【００４５】
具体的には、前記第一予定充電ストラテジとは、充電を停止するか又は予定された量だけ充電電流を減少することである。例えば、現在の温度が対応する予定温度範囲の最大閾値を超過する部位が多い場合、すぐ充電を停止することができ、従って前記端末装置の過熱による安全上の危険性を排除する。現在の温度が対応する予定温度範囲の最大閾値を超過する部位が多くない場合、例えば、１つ又は２つである場合、予定量だけ充電電流を減少して、端末装置の正常な充電を確保するとともに、端末装置の熱量を下げる。
【００４６】
選択的に、前記充電制御モジュール５０３は、さらに複数の前記部位における現在の温度が対応する予定温度範囲にある部位の数量は１である場合、前記部位の現在の温度に対応する充電電流に基づいて、前記端末装置が充電電流を調整するように制御して、前記端末装置の充電電流が前記部位の現在の温度に対応する充電電流より小さいことにするとともに、複数の前記部位におけるいかなる１つの部位の現在の温度は全て対応する予定温度範囲の最小閾値よりも小さい場合、第二予定充電ストラテジを取るために用いられる。
【００４７】
具体的には、前記第二予定充電ストラテジは、予定量だけ充電電流を増加することである。複数の前記部位におけるいかなる１つの部位の現在の温度は全て対応する予定温度範囲の最小閾値よりも小さい場合、前記端末装置全体の発熱が高くないことを意味し、充電電流を増加して、充電速度を高めることができる。
【００４８】
図６を参照すると、本発明の１つの実施形態において、端末装置６００は本発明の実施形態によって掲示された急速充電制御方法を執行するために用いられる。端末装置６００は、少なくとも１つのプロセッサ６０１と、少なくとも1つの入力装置６０２と、少なくとも1つの出力装置６０３と、メモリ６０４などのようなコンポーネントを備えることができる。その中において、これらのコンポーネントは１つ又は複数のバス６０５を介して通信接続することができる。本発明の実施形態は、図６に示された前記端末装置６００の構造に限定されなく、バス形状の構造であることができ、星型の構造であることもでき、図面より多い又は少ない部品を備えることができ、又はある部品を組み合わせるか、又は異なる部品配置であることができることは、当業者であれば理解することができる。
【００４９】
本発明の実施形態において、前記プロセッサ６０１は、前記端末装置６００の制御センターであり、いろいろなインタフェース及び回路によって前記端末装置６００全体の各々の部分を接続する。前記メモリ６０４に格納されたプログラム及び/又はユニットを運行又は実行することにより、前記メモリ６０４に格納されたデータを呼び出すことにより、前記端末装置の各種機能や処理データを実行する。前記プロセッサ６０１は、集積回路（ｉｎｔｅｇｒａｔｅｄ  Ｃｉｒｃｕｉｔ，ＩＣ）からなることができ、例えば、シングルパッケージＩＣからなることができ、同じ機能又は異なる機能を有する複数のパッケージＩＣを接続してなってもよい。例えば、プロセッサ６０１は、ただ中央処理装置を備えることができ、又はＣＰＵ、デジタル信号プロセッサ（Ｄｉｇｉｔａｌ  Ｓｉｇｎａａｌ  Ｐｒｏｃｅｓｓｏｒ，ＤＳＰ）、ＧＰＵ及びいろいろな制御チップの組合せであってもよい。本発明の実施形態において、ＣＰＵはシングルコンピューティングコア（ｓｉｎｇｌｅ  ｃｏｍｐｕｔｉｎｇ  ｃｏｒｅ）であることができ、マルチコンピューティングコア（ｍｕｌｔｉｐｌｅ  ｃｏｍｐｕｔｉｎｇ  ｃｏｒｅ）であることもできる。
【００５０】
本発明の実施形態において、前記入力装置６０２は、標準のタッチスクリーン、キーボードなどを備えることができ、有線インタフェース、無線インタフェースなどを備えることもでき、ユーザと端末装置６００との間の対話を実現するために用いられる。
【００５１】
本発明の実施形態において、前記出力装置６０３は、ディスプレイスクリーン、スピーカーなどを備えることができ、有線インタフェース、無線インタフェースなどを備えることもできる。
【００５２】
本発明の実施形態において、前記メモリ６０４は、ランダムアクセスメモリ、不揮発性メモリ外部メモリの中の少なくとも1つを備える。前記メモリ６０４は、プログラムコードを格納するために用いられる。前記プロセッサ６０１は、前記メモリ６０４に格納されたプログラムコードを呼び出すことにより、上記のいずれか１つの急速充電制御方法を実行する。メモリ６０４は、主にプログラム格納領域とデータ格納領域を備え、その中において、プログラム格納領域は操作システム、少なくとも１つの機能に必要なアプリケーションなどを格納することができ、データ格納領域は端末の使用に基づいて作成されたデータなどを格納することができる。本発明の実施形態において、操作システムは、Ａｎｄｒｏｉｄシステム、ｉＯＳシステム又はＷｉｎｄｏｗｓ操作システムなどであることができる。
【００５３】
上述したのは本発明の好ましい実施形態であり、当業者であれば、本発明の原理を逸脱しない範囲内で同等の変更が行われたとしても、本発明の範囲に属するものである。
【図１】
2019535226.tif 000003
【図２】
2019535226.tif 000004
【図３】
2019535226.tif 000005
【図４】
2019535226.tif 000006
【図５】
2019535226.tif 000007
【図６】
2019535226.tif 000008
【国際調査報告】
2019535226.tif 000009
2019535226.tif 000010
2019535226.tif 000011
2019535226.tif 000012